(57)【要約】  ユーザーが選択したメニュ設定によってＤＶＤコンテンツをネットワークを通じてメディアレンダラーへ伝送する装置及び方法を提供する。これによれば、メディアサーバーがＤＶＤコンテンツのメニュから各選択事項を組み合わせて、少なくとも二つ以上のメニュ設定情報を生成し、メニュ設定情報別に前記ＤＶＤコンテンツについての項目情報を生成してコントロールポイントへ伝送することによって、ユーザーは、ネットワークを通じて遠隔のＤＶＤコンテンツを鑑賞しつつも、ローカルＤＶＤシステムのようにＤＶＤタイトルについての多様なメニュ情報を利用できる。
2009524872.tif 000002
【特許請求の範囲】
【請求項１】
ＵＰｎＰネットワークでメディアサーバーがＤＶＤコンテンツを提供する方法において、
（ａ）前記ＤＶＤコンテンツのメニュから各選択事項を組み合わせて、少なくとも二つ以上のメニュ設定情報を生成するステップと、
（ｂ）前記生成されたメニュ設定情報別に前記ＤＶＤコンテンツについての項目情報を生成して、コントロールポイントへ伝送するステップと、
（ｃ）前記項目情報が適用されたＤＶＤコンテンツを前記コントロールポイントが指定したメディアレンダラーへ伝送するステップと、を含むことを特徴とする方法。
【請求項２】
前記（ｂ）ステップは、前記コントロールポイントのＣＤＳ（Ｃｏｎｔｅｎｔ  Ｄｉｒｅｃｔｏｒｙ  Ｓｅｒｖｉｃｅ）ブラウズ呼び出しメッセージに対する応答で前記項目情報を伝送することを特徴とする請求項１に記載の方法。
【請求項３】
前記各メニュ設定情報は、前記項目情報内で前記ＤＶＤコンテンツの題目を表示するタグに挿入されることを特徴とする請求項２に記載の方法。
【請求項４】
前記（ｃ）ステップは、
（ｃ１）前記メディアレンダラーから前記生成された項目情報のうち一部に対応するコンテンツを要請されるステップと、
（ｃ２）前記要請されたコンテンツに対して生成された項目情報に対応するメニュ設定情報に基づいて、前記ＤＶＤコンテンツに対するストリームデータを生成するステップと、
（ｃ３）前記ストリームデータを前記メディアレンダラーへ伝送するステップと、を含むことを特徴とする請求項１に記載の方法。
【請求項５】
前記メニュ設定情報は、言語、オーディオ及び字幕のうち少なくとも一つ以上に関する選択情報を含むことを特徴とする請求項１に記載の方法。
【請求項６】
請求項１ないし５のうちいずれか一項に記載の方法をコンピュータで実行させるためのプログラムを記録したコンピュータで読み取り可能な記録媒体。
【請求項７】
ＵＰｎＰネットワークでＤＶＤコンテンツを提供するメディアサーバー装置において、
前記ＤＶＤコンテンツのメニュから各選択事項を組み合わせて、少なくとも二つ以上のメニュ設定情報を生成するメニュ設定情報生成部と、
前記生成されたメニュ設定情報別に前記ＤＶＤコンテンツについての項目情報を生成して、コントロールポイントへ伝送する項目情報提供部と、
前記コントロールポイントが要請した項目情報に該当するメニュ設定情報を反映して、前記ＤＶＤコンテンツを前記コントロールポイントが指定したメディアレンダラーへ伝送するコンテンツ伝送部と、を備えることを特徴とする装置。
【請求項８】
前記項目情報提供部は、前記コントロールポイントからのＣＤＳブラウズ呼び出しメッセージに対する応答で前記項目情報を伝送することを特徴とする請求項７に記載の装置。
【請求項９】
前記項目情報提供部は、前記各メニュ設定情報を前記項目情報内で前記ＤＶＤコンテンツの題目を表示するタグに挿入することを特徴とする請求項８に記載の装置。
【請求項１０】
前記コンテンツ伝送部は、
前記メディアレンダラーから前記生成された項目情報のうち一つに対応する項目のコンテンツを要請される要請受信部と、
前記生成された項目情報の一部に基づいて、前記ＤＶＤコンテンツに対するストリームデータを生成するストリーム生成部と、
前記ストリームデータを前記メディアレンダラーへ伝送するストリーム伝送部と、を備えることを特徴とする請求項７に記載の装置。
【請求項１１】
前記メニュ設定情報は、言語、オーディオ及び字幕のうち少なくとも一つ以上に関する選択情報を含むことを特徴とする請求項７に記載の装置。
【請求項１２】
ＵＰｎＰネットワークでメディアサーバーがＤＶＤコンテンツを提供する方法において、
ＤＶＤからＤＶＤメニュオプションを抽出するステップと、
前記抽出されたＤＶＤメニュオプションの選択可能な組み合わせを表す項目情報を生成するステップと、
前記項目情報をコントロールポイントへ伝送するステップと、を含むことを特徴とする方法。
【請求項１３】
コントロールポイントから前記抽出されたＤＶＤメニュオプションの選択可能な組み合わせのうち一つを指す要請を受信するステップと、
前記受信された要請に基づいて、前記ＤＶＤコンテンツをメディアレンダラーへ伝送するステップと、をさらに含むことを特徴とする請求項１２に記載の方法。
【発明の詳細な説明】
【技術分野】
【０００１】
本発明は、ホームネットワークに係り、特にＵＰｎＰネットワークでＤＶＤコンテンツを利用する方法に関する。
【背景技術】
【０００２】
ＵＰｎＰ（Ｕｎｉｖｅｒｓａｌ  Ｐｌｕｇ  ａｎｄ  Ｐｌａｙ）技術は、ネットワークに連結されたデバイス間に複雑な設定手順なしにも通信を可能にする技術であって、一つのデバイスが有するサービスを他のデバイスが自動的に探すようにし、ＵＰｎＰネットワークでは、ユーザーが単にデバイスをネットワークに連結させれば、既存にネットワークに連結された機器が自動的に新たに追加されたデバイスを発見して、ユーザーは、ネットワークに連結された任意のデバイスで提供するサービスを容易に利用できる。
【０００３】
図１は、ＵＰｎＰネットワークで一般的にコンテンツを利用する方法を説明するための図である。
【０００４】
ユーザーインターフェースを提供するデバイスであるコントロールポイントは、コンテンツを提供するソースであるメディアサーバーにコンテンツ情報を問い合わせる。メディアサーバーは、ＣＤＳ（Ｃｏｎｔｅｎｔ  Ｄｉｒｅｃｔｏｒｙ  Ｓｅｒｖｉｃｅ）を提供するが、ＣＤＳは、コントロールポイントがメディアサーバーにあるコンテンツを検索して管理可能にするアクションが定義されている。代表的なものとして、Ｂｒｏｗｓｅ呼び出しメッセージを例として挙げられるが、コントロールポイントは、Ｂｒｏｗｓｅ呼び出しメッセージを送信してメディアサーバーで提供できるコンテンツについての情報をＸＭＬ（ｅＸｔｅｎｓｉｂｌｅ  Ｍａｒｋｕｐ  Ｌａｎｇｕａｇｅ）形態に得られる。
【０００５】
コンテンツについての情報を獲得したコントロールポイントは、メディアレンダラーのＡＶＴＳ（ＡＶＴｒａｎｓｐｏｒｔ  Ｓｅｒｖｉｃｅ）に定義されたＰｌａｙ呼び出しメッセージを送信して、メディアサーバーで提供できるコンテンツのうち一つの再生を要請する。このとき、当該コンテンツのＵＲＩ（Ｕｎｉｆｏｒｍ  Ｒｅｓｏｕｒｃｅ  Ｉｄｅｎｔｉｆｉｅｒｓ）が伝送されるが、メディアレンダラーは、このＵＲＩに基づいてメディアサーバーにＨＴＴＰ−ＧＥＴ要請を通じて当該コンテンツの伝送を要請し、ＨＴＴＰ−ＧＥＴ要請を受信したメディアサーバーは、当該コンテンツをメディアレンダラーへストリーミングで伝送してメディアレンダラーがコンテンツを再生する。メディアレンダラーは、ＲＣＳ（Ｒｅｎｄｅｒｉｎｇ  Ｃｏｎｔｒｏｌ  Ｓｅｒｖｉｃｅ）を提供するが、ここには、体積、コントラスト、輝度のようにメディアレンダラーの状態を制御できるアクションが定義されている。
【０００６】
ここで、コントロールポイントがＢｒｏｗｓｅメッセージを送信することによって受信するＸＭＬ文書には、タイトル、リソースＵＲＩ、プロトコル情報などが含まれており、図２にこれについての例示が示されている。
【０００７】
一方、ＤＶＤシステムに対してもＵＰｎＰ技術を適用すれば、メディアサーバーがネットワークを通じてＤＶＤコンテンツをメディアレンダラーへ伝送するが、従来のＵＰｎＰ  ＣＤＳでコンテンツの情報を表示する方法では、ＤＶＤシステムで提供するＤＶＤメニュ情報（オーディオ、言語、字幕など）を表せない。
【０００８】
すなわち、図２に示したように、従来のメディアサーバーのＣＤＳでは、ＤＶＤコンテンツのＵＲＩを提供するので、メディアレンダラーは、当該ＵＲＩのコンテンツの伝送を要請せざるを得ず、したがって、ユーザーは、ＤＶＤシステムのコンテンツをネットワークを通じて再生するとき、ＤＶＤが提供する多様な付加機能、すなわちオーディオ選択、字幕選択、言語選択などの機能を利用できないという問題がある。
【発明の開示】
【発明が解決しようとする課題】
【０００９】
本発明の目的は、ＵＰｎＰネットワークでＤＶＤコンテンツのメニュ情報をコントロールポイントへ伝送し、ユーザーが選択したメニュ設定によってＤＶＤコンテンツをネットワークを通じてメディアレンダラーへ伝送する装置及び方法を提供するところにある。
【課題を解決するための手段】
【００１０】
前記目的を達成するための本発明は、ＵＰｎＰネットワークでメディアサーバーがＤＶＤコンテンツを提供する方法において、（ａ）前記ＤＶＤコンテンツのメニュから各選択事項を組み合わせて、少なくとも二つ以上のメニュ設定情報を生成するステップと、（ｂ）前記生成されたメニュ設定情報別に前記ＤＶＤコンテンツについての項目情報を生成してコントロールポイントへ伝送するステップと、（ｃ）前記コントロールポイントが要請した項目に該当するメニュ設定情報を反映して、前記ＤＶＤコンテンツを前記コントロールポイントが指定したメディアレンダラーへ伝送するステップとを含むことを特徴とする。
【００１１】
このとき、前記（ｂ）ステップは、前記コントロールポイントのＣＤＳブラウズ呼び出しメッセージに対する応答で前記項目情報を伝送することが望ましい。
【００１２】
また、前記各メニュ設定情報は、対応する項目情報内で前記ＤＶＤコンテンツの題目を表示するタグに挿入されることが望ましい。
【００１３】
前記（ｃ）ステップは、（ｃ１）前記メディアレンダラーから前記生成された項目情報のうち一つに対応する項目のコンテンツを要請されるステップと、（ｃ２）前記要請された項目に対応するメニュ設定情報を反映して、前記ＤＶＤコンテンツに対するストリームデータを生成するステップと、（ｃ３）前記ストリームデータを前記メディアレンダラーへ伝送するステップとを含む。
【００１４】
前記メニュ設定情報は、言語、オーディオ及び字幕のうち少なくとも一つ以上に関する選択情報を含むことが望ましい。
【００１５】
また、本発明は、前記ＤＶＤコンテンツ提供方法をコンピュータで実行させるためのプログラムを記録したコンピュータで読み取り可能な記録媒体を提供する。
【００１６】
また、本発明は、ＵＰｎＰネットワークでＤＶＤコンテンツを提供するメディアサーバー装置において、前記ＤＶＤコンテンツのメニュから各選択事項を組み合わせて、少なくとも二つ以上のメニュ設定情報を生成するメニュ設定情報生成部と、前記生成されたメニュ設定情報別に前記ＤＶＤコンテンツについての項目情報を生成してコントロールポイントへ伝送する項目情報提供部と、前記コントロールポイントが要請した項目に該当するメニュ設定情報を反映して、前記ＤＶＤコンテンツを前記コントロールポイントが指定したメディアレンダラーへ伝送するコンテンツ伝送部と、を備えることを特徴とする。
【発明の効果】
【００１７】
本発明によれば、既存のＵＰｎＰコントロールポイントの変形なしにメディアサーバーのＣＤＳでコンテンツ情報を新たに定義すれば、ユーザーは、ネットワークを通じて遠隔のＤＶＤコンテンツを鑑賞しつつも、ローカルＤＶＤシステムのようにＤＶＤタイトルについての多様なメニュ情報を利用できる。
【発明を実施するための最良の形態】
【００１８】
以下、添付された図面を参照して、本発明の望ましい実施形態を詳細に説明する。
【００１９】
図３は、本発明の一実施形態によって、メディアサーバーがＤＶＤコンテンツをメディアレンダラーに提供する過程を示すフローチャートである。
【００２０】
ＤＶＤコンテンツを保有したメディアサーバーは、ＤＶＤからメニュ情報を抽出してメニュ上でユーザーが選択可能なオプションを組み合わせて、少なくとも二つ以上のメニュ設定情報を生成する（ステップ３１０）。メニュ設定情報が生成されれば、それぞれのメニュ設定情報別に項目情報を生成する（ステップ３２０）。項目情報は、ＵＰｎＰのＣＤＳで項目ＩＤを異ならせる情報単位をいう。例えば、あるＤＶＤタイトルのメニュから言語及び字幕をそれぞれ韓国語及び英語のうち選択するならば、４種類の組み合わせが可能であり、これにより、４個の項目情報が生成される。
【００２１】
次いで、コントロールポイントからメディアサーバーが提供できるコンテンツ情報を問い合わせるＢｒｏｗｓｅ呼び出しメッセージが受信されれば（ステップ３３０）、それに対する応答としてステップ３２０で生成した項目情報を含む応答メッセージを伝送する（ステップ３４０）。
【００２２】
応答メッセージを受信したコントロールポイントが複数個の項目情報のうち一つの項目を選択して、特定のメディアレンダラーにそれに対する再生を要請すれば、メディアレンダラーは、メディアサーバーへ当該項目に対する再生要請であるＰｌａｙ呼び出しメッセージを伝送し（ステップ３５０）、メディアサーバーは、Ｐｌａｙ呼び出しメッセージをパージングして、それに該当するメニュ設定情報を分析し、当該メニュ設定情報を反映してＤＶＤコンテンツに対するストリームデータを生成した後、メディアレンダラーへ伝送する（ステップ３６０）。
【００２３】
図４は、本発明の一実施形態によってメディアサーバーがＢｒｏｗｓｅ呼び出しメッセージに対する応答で伝送するメッセージの構造を示す図である。図４に示すように、同じＤＶＤタイトルに対して三つのメニュ設定情報が構成され、それぞれに対して項目情報が生成されたということが分かる。すなわち、項目ＩＤが２３である項目は、言語（ＳＬ）は英語、字幕（ＳＬ）は韓国語、オーディオ（ＡＵ）はステレオに設定され、項目ＩＤが２４である項目は、言語（ＳＬ）は英語、字幕（ＳＴ）は韓国語、オーディオ（ＡＵ）はＤｏｌｂｙ５．１に設定され、項目ＩＤが２５である項目は、言語（ＳＬ）は英語、字幕（ＳＴ）は韓国語、オーディオ（ＡＵ）はＤＴＳ（Ｄｉｇｉｔａｌ  Ｔｈｅａｔｅｒ  Ｓｙｓｔｅｍ）に設定されているということが分かる。
【００２４】
コントロールポイントがメディアサーバーのＣＤＳに定義されたＢｒｏｗｓｅ呼び出しメッセージを送信すれば、メディアサーバーは、それに対する応答として図４に示したフォーマットの応答メッセージを伝送し、そのメッセージを受信したコントロールポイントは、応答メッセージが表す色々な項目のうち一つを選択して、メディアレンダラーに選択した項目の再生を要請することによって、結局、ユーザーは、自身が設定したメニュ設定情報を反映してＤＶＤタイトルを鑑賞できる。
【００２５】
かかるメニュ設定情報は、Ｂｒｏｗｓｅ応答メッセージに新たなタグを定義してそのタグ内に挿入することもできるが、コントロールポイントで新たなタグを解釈せねばならない機能を追加せずにも、ユーザーがコントロールポイントのユーザーインターフェースを通じて字幕設定情報を認知できるように、字幕設定情報を＜ｔｉｔｌｅ＞タグ内に挿入することが望ましい。
【００２６】
図５Ａ及び図５Ｂは、本発明の一実施形態によってＤＶＤコンテンツのメニュ設定情報を構成する方法を説明するための図である。
【００２７】
図５Ａは、本実施形態でのＤＶＤで選択可能なメニュを示すものである。すなわち、ローカルＤＶＤシステムでＤＶＤタイトルを再生する場合、言語及び字幕は、それぞれ韓国語及び英語のうち一つを選択でき、オーディオは、ＤＴＳ及びＤｏｌｂｙ５．１のうち一つを選択できる。
【００２８】
図５Ｂは、ＤＶＤタイトルのメニュが図５Ａのような場合、各選択事項の組み合わせにより生成できるメニュ設定情報を示すものである。すなわち、三つの選択事項それぞれに二つのオプションがあるので、あらゆる選択の場合を組み合わせれば、図５Ｂのように８個のメニュ設定情報が生成される。前述したように、このように生成されたメニュ設定情報は、それぞれ別個の項目ＩＤを有する項目情報に挿入される。
【００２９】
図６は、本発明の一実施形態によるメディアサーバーの構造図である。図６に示したように、本発明の一実施形態によるメディアサーバー６００は、Ｉ／Ｏインターフェース６０５、コンテンツ伝送部６１０、項目情報提供部６３０及びメニュ設定情報生成部６２０を備える。Ｉ／Ｏインターフェース６０５は、メディアサーバー６００がコントロールポイント６４０及びメディアレンダラー６５０と通信するための手段を提供し、メニュ設定情報生成部６２０は、ＤＶＤからメニュ情報を抽出してメニュ設定情報を生成する。
【００３０】
項目情報提供部６３０は、メニュ設定情報生成部６２０からメニュ設定情報を伝達されて、各メニュ設定情報について項目情報を生成し、コントロールポイント６４０が送信したＣＤＳ  Ｂｒｏｗｓｅ呼び出しメッセージに対する応答で項目情報を伝送する。
【００３１】
コンテンツ伝送部６１０は、要請受信部６１１、ストリーム生成部６１２及びストリーム伝送部６１３を備えるが、要請受信部６１１は、コントロールポイントの要請によってメディアレンダラー６５０が伝送したＰｌａｙ呼び出しメッセージを受信してストリーム生成部６１２に伝達し、ストリーム生成部６１２は、Ｐｌａｙ呼び出しメッセージに含まれたメニュ設定情報に基づいてＤＶＤコンテンツに対するストリームデータを生成し、ストリーム伝送部６１３は、生成されたストリームデータをＩ／Ｏインターフェース６０５を通じてメディアレンダラー６５０へ伝送する。
【００３２】
一方、前述した本発明の実施形態は、コンピュータで実行されるプログラムで作成可能であり、コンピュータで読み取り可能な記録媒体を利用して前記プログラムを動作させる汎用デジタルコンピュータで具現される。
【００３３】
前記コンピュータで読み取り可能な記録媒体は、磁気記録媒体（例えば、ＲＯＭ（Ｒｅａｄ  Ｏｎｌｙ  Ｍｅｍｏｒｙ）、フロッピー（登録商標）ディスク、ハードディスクなど）、光学的読み取り媒体（例えば、ＣＤ−ＲＯＭ、ＤＶＤなど）及びキャリアウェーブ（例えば、インターネットを通じた伝送）のような記録媒体を含む。
【００３４】
これまで、本発明について、その望ましい実施形態を中心に述べた。当業者は、本発明が、本発明の本質的な特性から逸脱しない範囲で変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【図面の簡単な説明】
【００３５】
【図１】ＵＰｎＰネットワークで一般的にコンテンツを利用する方法を説明するための図である。
【図２】従来のメディアサーバーのＣＤＳで定義するコンテンツ情報を示す図である。
【図３】本発明の一実施形態によってメディアサーバーがＤＶＤコンテンツをメディアレンダラーに提供する過程を示すフローチャートである。
【図４】本発明の一実施形態によってメディアサーバーがＢｒｏｗｓｅ呼び出しに対する応答で伝送するメッセージの構造を示す図である。
【図５Ａ】本発明の一実施形態によってＤＶＤコンテンツのメニュ設定情報を構成する方法を説明するための図である。
【図５Ｂ】本発明の一実施形態によってＤＶＤコンテンツのメニュ設定情報を構成する方法を説明するための図である。
【図６】本発明の一実施形態によるメディアサーバーの構造図である。
【図１】
2009524872.tif 000003
【図２】
2009524872.tif 000004
【図３】
2009524872.tif 000005
【図４】
2009524872.tif 000006
【図５Ａ】
2009524872.tif 000007
【図５Ｂ】
2009524872.tif 000008
【図６】
2009524872.tif 000009
【国際調査報告】
2009524872.tif 000010
2009524872.tif 000011